(57)【特許請求の範囲】
【請求項１】
天井面（ＣＬ）に設けられ室内（ＲＳ）の空気が吸い込まれる吸込口（２５）と、
前記吸込口（２５）から吸い込まれた前記空気の温度調整を行う熱交換器（２１）と、
前記熱交換器（２１）において温度調整された前記空気が吹き出される吹出口（２７）と、
前記吹出口（２７）から吹き出された前記空気が送られる内部空間（ＩＳ）を構成し、所定の輻射率を有する繊維系材料で形成され、前記天井面（ＣＬ）に設けられる輻射パネル（２２）と、
前記吸込口（２５）から吸い込まれた前記空気の温度を検知する吸込空気温度センサ（４３）と、
前記熱交換器（２１）の温度を検知する熱交換器温度センサ（４２）と、
前記吸込空気温度センサ（４３）が検知した吸込空気温度と前記熱交換器温度センサ（４２）が検知した熱交換器温度とから前記室内（ＲＳ）の人が前記天井面（ＣＬ）から受ける天井面輻射温度を算出し、前記天井面輻射温度に基づいて空気調和運転の制御を行う制御部（４）と、
を備える空気調和機（１００）。
【請求項２】
前記室内（ＲＳ）の人の周囲温度を検知する人周囲温度センサ（４１）をさらに備え、
前記制御部（４）は、前記吸込空気温度と、前記熱交換器温度と、前記人周囲温度センサ（４１）が検知した人周囲温度とから前記室内（ＲＳ）の人が受ける平均輻射温度を算出し、前記平均輻射温度に基づいて前記空気調和運転の制御を行う、
請求項１に記載の空気調和機（１００）。
【請求項３】
前記吸込口（２５）から吸い込まれ前記熱交換器（２１）を通り前記吹出口（２７）から吹き出される前記空気の流れを生成する送風機（２３）と、
前記室内（ＲＳ）の人の周囲湿度を検知する人周囲湿度検知部（４５）と、
をさらに備え、
前記制御部（４）は、前記送風機（２３）の出力値から前記室内（ＲＳ）の人の周囲を流れる空気の風速を算出し、少なくとも前記風速と、前記平均輻射温度と、前記人周囲湿度検知部（４５）が検知した人周囲湿度と、前記人周囲温度と、前記室内（ＲＳ）の人の代謝量と、着衣量とに基づいてＳＥＴ*値を算出し、前記ＳＥＴ*値に基づいて前記空気調和運転の制御を行う、
請求項２に記載の空気調和機（１００）。
【請求項４】
室外の温度を検知する室外温度センサ（４６）をさらに備え、
前記着衣量は前記室外温度センサ（４６）が検知した室外温度に基づいて決定される、
請求項３に記載の空気調和機（１００）。
【請求項５】
天井面（ＣＬ）に設けられ室内（ＲＳ）の空気が吸い込まれる吸込口（２５）と、前記吸込口（２５）から吸い込まれた前記空気の温度調整を行う熱交換器（２１）と、前記熱交換器（２１）において温度調整された前記空気が吹き出される吹出口（２７）と、前記吹出口（２７）から吹き出された前記空気が送られる内部空間（ＩＳ）を構成し所定の輻射率を有する繊維系材料で形成され前記天井面（ＣＬ）に設けられる輻射パネル（２２）とを備える空気調和機（１００）の制御方法であって、
前記吸込口（２５）から吸い込まれた前記室内（ＲＳ）の空気の温度である吸込空気温度が検知される吸込空気温度検知ステップ（Ｓ１１）と、
前記熱交換器（２１）の温度である熱交換器温度が検知される熱交換器温度検知ステップ（Ｓ１２）と、
前記吸込空気温度と前記熱交換器温度とから前記室内（ＲＳ）の人が前記天井面（ＣＬ）から受ける天井面輻射温度が算出される天井面輻射温度算出ステップ（Ｓ２２）と、
前記天井面輻射温度に基づいて空気調和運転の制御が行われる制御ステップ（Ｓ５）と、
を備える空気調和機（１００）の制御方法。
【発明の詳細な説明】
【技術分野】
【０００１】
本発明は、空気調和機に関する。
【背景技術】
【０００２】
本願発明者は、天井面に配置された輻射パネルからの輻射と穏やかな空気の吹き出しとによって室内の空気調和を行う空気調和機を案出している。輻射パネルは、所定の輻射率を有する繊維系材料で形成され、熱交換器で温度調整された空気が送られる内部空間を構成している。この空気調和機では、温度調整された空気が輻射パネルの内部空間に送られ、輻射パネルの繊維の隙間から穏やかに室内へと吹き出す。また、内部空間に送られた空気によって輻射パネル自体の温度が調整され、輻射パネルの表面から輻射が生じる。このため、輻射パネルからの空気の吹き出しと輻射とによって、室内の空気調和が行われる。これにより、ドラフトによる不快感が抑えられた快適な空気調和を行うことができる（特許文献１参照）。
【特許文献１】特開２００４−２７１１７１号公報
【発明の開示】
【発明が解決しようとする課題】
【０００３】
一般に、空気調和機では、快適な空気調和環境を実現するために、室内の温度が検知され、検知された室内温度に基づいて空気調和運転の制御が行われることが多い。ここで、上記のような空気調和機において快適な空気調和を実現するためには、輻射温度を検知することが望ましい。しかし、輻射温度を検知する専用の輻射センサを空気調和機に設けることはコストの上昇を招いてしまう。
【０００４】
本発明の課題は、輻射による空気調和を行う空気調和機において、快適な空気調和運転の制御を低コストに行うことにある。
【課題を解決するための手段】
【０００５】
第１発明にかかる空気調和機は、吸込口と、熱交換器と、吹出口と、輻射パネルと、吸込空気温度センサと、熱交換器温度センサと、制御部とを備える。吸込口は、天井面に設けられ室内の空気が吸い込まれるものである。熱交換器は、吸込口から吸い込まれた空気の温度調整を行う。吹出口は、熱交換器において温度調整された空気が吹き出されるものである。輻射パネルは、吹出口から吹き出された空気が送られる内部空間を構成し、所定の輻射率を有する繊維系材料で形成され、天井面に設けられる。吸込空気温度センサは、吸込口から吸い込まれた空気の温度を検知する。熱交換器温度センサは、熱交換器の温度を検知する。制御部は、吸込空気温度センサが検知した吸込空気温度と熱交換器温度センサが検知した熱交換器温度とから室内の人が天井面から受ける天井面輻射温度を算出し、天井面輻射温度に基づいて空気調和運転の制御を行う。
【０００６】
この空気調和機では、吸込空気温度と熱交換器温度とから室内の人が天井面から受ける天井面輻射温度が算出される。ここで、吸込空気温度は、天井面に設けられた吸込口から吸い込まれた空気の温度であり、吸込空気温度を吸込口の周囲の天井面の表面温度と見なすことができる。また、熱交換器温度は、熱交換器の温度であり、熱交換器で温度調整された空気の温度と見なすことができ、これから、輻射パネルの表面温度と見なすことができる。これにより、熱交換器の温度を輻射パネルの表面温度として代用し、吸込空気温度を輻射パネルを除く天井面の表面温度として代用することで、輻射パネルを含めた天井面全体からの輻射温度を近似的に算出することができ、算出された天井面輻射温度に基づいて空気調和運転の制御を行うことができる。また、熱交換器温度センサとして、輻射温度センサよりも安価な温度センサを利用することができる。これにより、この空気調和機では、快適な空気調和運転の制御を低コストに行うことができる。
【０００７】
第２発明にかかる空気調和機は、第１発明の空気調和機であって、室内の人の周囲温度を検知する人周囲温度センサをさらに備える。そして、制御部は、吸込空気温度と、熱交換器温度と、人周囲温度センサが検知した人周囲温度とから室内の人が受ける平均輻射温度を算出し、平均輻射温度に基づいて空気調和運転の制御を行う。
【０００８】
この空気調和機では、室内の人が室内の側壁から受ける輻射温度が人周囲温度から近似的に算出される。そして、吸込空気温度と熱交換器温度とから算出した天井面輻射温度と合わせることで平均輻射温度を算出することができる。
【０００９】
第３発明にかかる空気調和機は、第２発明の空気調和機であって、送風機と、人周囲湿度検知部とをさらに備える。送風機は、吸込口から吸い込まれ熱交換器を通り吹出口から吹き出される空気の流れを生成する。人周囲湿度検知部は、室内の人の周囲湿度を検知する。そして、制御部は、送風機の出力値から室内の人の周囲を流れる空気の風速を算出し、少なくとも風速と、平均輻射温度と、人周囲湿度検知部が検知した人周囲湿度と、人周囲温度と、室内の人の代謝量と、着衣量とに基づいてＳＥＴ*値を算出し、ＳＥＴ*値に基づいて空気調和運転の制御を行う。なお、ＳＥＴ*値とは、標準新有効温度（Standard Effective Temperature）であり、体感温度を表現する指標である。
【００１０】
この空気調和機では、近似的に算出された平均輻射温度を用いることによって、低コストにＳＥＴ*値を算出し、ＳＥＴ*値に基づいて空気調和運転の制御を行うことができる。このため、ＳＥＴ*値に基づいた快適な空気調和運転の制御を低コストに行うことができる。
【００１１】
第４発明にかかる空気調和機は、第３発明の空気調和機であって、室外の温度を検知する室外温度センサをさらに備える。そして、着衣量は室外温度センサが検知した室外温度に基づいて決定される。
【００１２】
この空気調和機では、着衣量が室外温度に基づいて決定される。着衣量は、暑ければ少なく、寒ければ多い傾向があるため、室外温度から精度よく推定することができる。また、室外温度は他の空気調和運転の制御にも利用可能なパラメーターである。このため、この空気調和機では、簡易且つ精度よく着衣量を推定することができる。
【００１３】
第５発明にかかる空気調和機の制御方法は、天井面に設けられ室内の空気が吸い込まれる吸込口と、吸込口から吸い込まれた空気の温度調整を行う熱交換器と、熱交換器において温度調整された空気が吹き出される吹出口と、吹出口から吹き出された空気が送られる内部空間を構成し所定の輻射率を有する繊維系材料で形成され天井面に設けられる輻射パネルとを備える空気調和機の制御方法であって、吸込空気温度検知ステップと、熱交換器温度検知ステップと、天井面輻射温度算出ステップと、制御ステップとを備える。吸込空気温度検知ステップでは、吸込口から吸い込まれた室内の空気の温度である吸込空気温度が検知される。熱交換器温度検知ステップでは、熱交換器の温度である熱交換器温度が検知される。天井面輻射温度算出ステップでは、吸込空気温度と熱交換器温度とから室内の人が天井面から受ける天井面輻射温度が算出される。制御ステップでは、天井面輻射温度に基づいて空気調和運転の制御が行われる。
【００１４】
この空気調和機の制御方法では、吸込空気温度と熱交換器温度とから室内の人が天井面から受ける天井面輻射温度が算出される。ここで、吸込空気温度は、天井面に設けられた吸込口から吸い込まれた空気の温度であり、吸込空気温度を吸込口の周囲の天井面の温度と見なすことができる。また、熱交換器温度は、熱交換器の温度であり、熱交換器で温度調整された空気の温度と見なすことができ、これから、輻射パネルの表面温度と見なすことができる。これにより、熱交換器の温度を輻射パネルの表面温度として代用し、吸込空気温度を輻射パネルを除く天井面の表面温度として代用することで、輻射パネルを含めた天井面全体からの輻射温度を近似的に算出することができ、算出された天井面輻射温度に基づいて空気調和運転の制御を行うことができる。また、熱交換器温度センサや吸込空気温度センサとして、安価な温度センサを利用することができる。これにより、この空気調和機の制御方法では、快適な空気調和運転の制御を低コストに行うことができる。
【発明の効果】
【００１５】
第１発明にかかる空気調和機では、快適な空気調和運転の制御を低コストに行うことができる。
【００１６】
第２発明にかかる空気調和機では、室内の人が室内の側壁から受ける輻射温度が人周囲温度から近似的に算出される。そして、吸込空気温度と熱交換器温度とから算出した天井面輻射温度と合わせることで平均輻射温度を算出することができる。
【００１７】
第３発明にかかる空気調和機では、近似的に算出された平均輻射温度を用いることによって、低コストにＳＥＴ*値を算出し、ＳＥＴ*値に基づいて空気調和運転の制御を行うことができる。このため、ＳＥＴ*値に基づいた快適な空気調和運転の制御を低コストに行うことができる。
【００１８】
第４発明にかかる空気調和機では、着衣量が室外温度に基づいて決定される。着衣量は、暑ければ少なく、寒ければ多い傾向があるため、室外温度から精度よく推定することができる。また、室外温度は他の空気調和運転の制御にも利用可能なパラメーターである。このため、この空気調和機では、簡易且つ精度よく着衣量を推定することができる。
【００１９】
第５発明にかかる空気調和機の制御方法では、快適な空気調和運転の制御を低コストに行うことができる。
【発明を実施するための最良の形態】
【００２０】
本発明の第１実施形態に係る空気調和機１００の冷媒回路図を図１に示す。この空気調和機１００は、室外機１と輻射型室内機２とを有し、室内ＲＳ（図２参照）の空気調和を行う。
【００２１】
〈室外機の構成〉
室外機１には、圧縮機１０と、圧縮機１０の吐出側に接続される四路切換弁１１と、圧縮機１０の吸入側に接続されるアキュムレータ１２と、四路切換弁１１に接続された室外熱交換器１３と、室外熱交換器１３に接続された電動膨張弁１４とが設けられている。電動膨張弁１４は、冷媒配管８１を介して後述する室内熱交換器２１（熱交換器）の一端と接続される。また、四路切換弁１１は、冷媒配管８２を介して室内熱交換器２１の他端と接続されている。また、室外機１には、室外熱交換器１３での熱交換後の空気を外部に排出するための室外送風機１５が設けられている。この室外送風機１５は、室外ファン１６と、室外ファン１６を回転駆動する室外ファンモータ１７とを有している。
【００２２】
〈輻射型室内機の構成〉
輻射型室内機２は、図２に示すように、天井面ＣＬに設置されており、輻射と穏やかな空気の吹き出しとによってドラフトによる不快感が抑えられた冷暖運転、暖房運転、除湿運転等の空気調和運転を行うことができる。輻射型室内機２は、図１および図３に示すように、温度調整ユニット２０と、輻射パネル２２とを有する。
【００２３】
温度調整ユニット２０は、図３に示すように、ビルトイン型の室内機であり、室内ＲＳから取り込まれた空気の温度調整または湿度調整を行い、温度調整または湿度調整された空気を輻射パネル２２が構成する内部空間ＩＳへと送る装置である。温度調整ユニット２０は、天井裏ＣＳに配置されており、吊りボルト９９等によって天井裏ＣＳの梁に固定されている。温度調整ユニット２０は、図１に示すように、室内熱交換器２１と、送風機２３と、室内熱交換器２１と送風機２３とを収容する温度調整ユニットケーシング２４（図３参照）とを有する。
【００２４】
室内熱交換器２１は、冷媒と空気との間で熱交換を行う。温度調整ユニット２０は、天井面ＣＬにおいて輻射パネル２２から離れた位置に配置された吸込口２５（図２参照）にダクト２６（図３参照）を介して接続されており、吸込口２５から吸い込まれた室内ＲＳの空気がダクト２６を通って温度調整ユニット２０の内部に取り込まれる。室内熱交換器２１は、この取り込まれた空気と冷媒との間で熱交換を行い、空気の温度調整または湿度調整を行う。
【００２５】
送風機２３は、シロッコファンなどの遠心送風機であり、吸込口２５から吸い込まれ室内熱交換器２１を通り輻射パネル２２の内部空間ＩＳへと送られる空気の流れを生成する。室内ＲＳから温度調整ユニット２０内に取り込まれた空気は、室内熱交換器２１を通った後、吹出口２７を介して輻射パネル２２の内部空間ＩＳへと送られる。
【００２６】
温度調整ユニットケーシング２４は、天井裏ＣＳに配置されており、温度調整された空気が吹き出される吹出口２７を有する。吹出口２７は、天井面ＣＬに穿設された開口９８を通って輻射パネル２２の内部空間ＩＳと連通しており、室内熱交換器２１で温度調整または除湿された空気はこの吹出口２７を通って輻射パネル２２の内部空間ＩＳへと送られる。
【００２７】
輻射パネル２２は、室内熱交換器２１によって温度調整又は湿度調整された空気が送られる内部空間ＩＳを構成し、所定の輻射率を有する繊維系材料で形成されている。輻射パネル２２は、天井面ＣＬに枠状に固定された支持フレーム２８に取り付けられることによって、天井面ＣＬに設けられる。輻射パネル２２は、支持フレーム２８と、天井面ＣＬに設けられた断熱シート２９と共に内部空間ＩＳを構成する。輻射パネル２２は、空気が透過する布等の繊維系材料によって形成されている。繊維系材料としては織布が望ましいが不織布や他の繊維系材料であってもよい。また、輻射パネル２２は、厚みの小さい平坦な形状を有している。輻射パネル２２によって構成される内部空間ＩＳには、温度調整ユニット２０から温度調整された空気が送られることによって、大気圧より大きな圧力が生じる。また、輻射パネル２２を形成する繊維系材料は、柔軟且つ空気が透過可能であると共に約０．９の輻射率を有する。このため、内部空間ＩＳに送られた空気は、輻射パネル２２の繊維の目の隙間から穏やかに室内ＲＳへと吹出される。また、内部空間ＩＳに送られた空気によって輻射パネル２２の温度が調整されることにより、輻射パネル２２から輻射が生じる。これにより、穏やかな空気の吹出しと輻射とによって室内ＲＳの温度調整を行うことができる。なお、繊維系材料は伸縮性を有している。輻射パネル２２は、平坦な薄型の板状の外形を呈しており、下方の室内ＲＳに対して長方形の投影形状を有している。輻射パネル２２は、例えば、室内ＲＳに配置される寝具を平面的に覆う程度の大きさを有している。
【００２８】
〈制御部〉
この空気調和機１００は、図４に示す制御部４を備えている。制御部４は、室外機１および輻射型室内機２に分散して配置されており、室外機１および輻射型室内機２の制御を行う。具体的には、制御部４は、圧縮機１０、電動膨張弁１４、四路切換弁１１、室外送風機１５、送風機２３を制御することにより、空気調和機１００の運転の制御を行う。
【００２９】
また、制御部４は、無線又は有線によってリモコン装置４４と通信可能であり、居住者等はリモコン装置４４を操作することによって各種の指示を制御部４へと送信することができる。リモコン装置４４からの指示内容としては、電源のオン・オフや、冷房運転や暖房運転の設定温度および風量や、暖房運転、冷房運転、除湿運転などの空気調和機１００の運転内容の指示などがある。なお、制御部４は、四路切換弁１１を制御することによって、冷媒回路における冷媒の循環方向を切り換えて暖房運転と冷房運転とを切り換えることができる。
【００３０】
また、制御部４は、各種のセンサと接続されており、各センサから送られる情報に基づいて上記の空気調和運転の制御を行うことができる。制御部４と接続されるセンサとしては、室内ＲＳの人の周囲温度を検知する人周囲温度センサ４１、室内熱交換器２１の近傍に設けられ室内熱交換器２１の温度を検知する熱交換器温度センサ４２、吸込口２５の近傍に設けられ吸込口２５から吸い込まれた空気の温度を検知する吸込空気温度センサ４３、室内ＲＳの人の周囲の相対湿度を検知する人周囲湿度センサ４５（人周囲湿度検知部）、室外機１に設けられ室外の温度を検知する室外温度センサ４６がある。なお、人周囲温度センサ４１および人周囲湿度センサ４５は後述するリモコン装置４４に設けられる。リモコン装置４４は、人に近い位置に設置されるため、人周囲温度センサ４１および人周囲湿度センサ４５によってリモコン装置４４の周囲の温度および相対湿度を検知することによって、人周囲温度および人周囲湿度を検知することができる。
【００３１】
〈制御部による制御〉
以下、制御部４によって行われる空気調和運転の制御について説明する。制御部４によって行われる空気調和運転には、主として、暖房運転、冷房運転、除湿運転がある。
【００３２】
暖房運転時には、四路切換弁１１が図１の実線で示す状態にされ、冷媒が実線矢印Ａ１の方向に冷媒回路を流れる。この冷媒回路の流れでは、圧縮機１０から吐出された冷媒は、冷媒配管８２を流れ、輻射型室内機２の室内熱交換器２１を流れた後、冷媒配管８１を通る。そして、冷媒は、電動膨張弁１４を通った後、室外熱交換器１３を流れ、その後、圧縮機１０へと吸入される。
【００３３】
冷房運転時には、四路切換弁１１が図１の波線で示す状態にされ、冷媒が波線矢印Ａ２の方向に冷媒回路を流れる。この冷媒回路の流れでは、圧縮機１０から吐出された冷媒は、まず室外熱交換器１３を流れた後、電動膨張弁１４で膨張する。膨張した冷媒は、冷媒配管８１を通り、室内熱交換器２１を流れた後、冷媒配管８２を通って圧縮機１０へと吸入される。
【００３４】
除湿運転時には、四路切換弁１１が図１の波線で示す状態にされ、冷媒が波線矢印Ａ２の方向に冷媒回路を流れる。これにより、冷媒は冷房運転時と同様にして冷媒回路を流れる。除湿運転時には、除湿された空気が輻射型室内機２から室内ＲＳへと穏やかに吹き出される。
【００３５】
特に、制御部４は、上記の空気調和運転の制御において輻射温度を考慮した快適性を表現するモデルであるＳＥＴ*に基づいて快適指数ＳＥＴ*値を算出し、ＳＥＴ*値に基づいて圧縮機１０や送風機２３の制御を行う。以下、ＳＥＴ*値の算出のフローを図５に基づいて説明する。
【００３６】
まず、第１ステップＳ１において、各種センサによる温度等の検知が行われ、検知された温度等の値が制御部４へと送られる。より詳細には、図６に示すように、第１１ステップＳ１１（吸込空気温度検知ステップ）において、吸込空気温度センサ４３によって吸込空気温度が検知される。第１２ステップＳ１２（熱交換器温度検知ステップ）では、熱交換器温度センサ４２によって熱交換器温度が検知される。第１３ステップ１３では、送風機２３のファン回転数が検知される。第１４ステップＳ１４では、人周囲温度センサ４１によって人周囲温度が検知される。第１５ステップＳ１５では、人周囲湿度センサ４５によって人周囲湿度が検知される。第１６ステップＳ１６では、室外温度センサ４６によって室外温度が検知される。
【００３７】
次に、第２ステップＳ２において、ＳＥＴ*値の算出に必要なパラメーターの算出または決定が行われる。より詳細には、図７に示すように、第２１ステップＳ２１において、送風機２３の出力値であるファン回転数から室内ＲＳの人の周囲を流れる空気の風速が算出される。第２２ステップＳ２２（天井面輻射温度算出ステップ）では、平均輻射温度が算出される。ここでは、以下の式によって平均輻射温度が算出される。
【００３８】
Ｔｒ＝α×〔｛２×（Ｌ＋Ｗ）×Ｈ×Ｔｈａ＋（Ｌ×Ｗ−Ａ）×Ｔｃａ＋Ａ×Ｔｐａ｝／｛２×（Ｌ＋Ｗ）×Ｈ＋Ｌ×Ｗ｝〕
【００３９】
ここで、Ｔｒ：平均輻射温度、Ｔｈａ：人周囲温度、Ｔｃａ：吸込空気温度、Ｔｐａ：熱交換器温度、Ｈ：室内ＲＳの高さ、Ｌ：室内ＲＳの長手側の側壁の長さ、Ｗ：室内ＲＳの短手側の側壁長さ、Ａ：輻射パネルの面積、α：実験による補正係数、である。
【００４０】
すなわち、輻射パネル２２からの輻射温度と輻射パネル２２を除く天井面ＣＬからの輻射温度とを合計することによって天井面輻射温度が算出され、この天井面輻射温度と側壁からの側壁輻射温度とを合計した総輻射温度を側壁と天井面ＣＬとの表面積の合計で除して所定の補正係数を乗じることによって平均輻射温度が算出される。
【００４１】
第２３ステップＳ２３では、着衣量が決定される。この着衣量は、室外温度から決定された定数である。着衣量は室外温度の影響を受け易いため、室外温度によって精度よく着衣量を決定することができる。ここでは、室外温度によって夏期か冬季かの判断が行われ、夏期と冬季のそれぞれに対応して定められた着衣量が採用される。なお、夏期と冬季との２つの着衣量だけではなく、その中間期の着衣量がさらに用いられてもよい。
【００４２】
第２４ステップＳ２４では、代謝量が決定される。この代謝量は安静時の代謝量として予め決定されて制御部４に記憶された定数である。
【００４３】
次に、第３ステップＳ３において、ＳＥＴ*値が算出される。ここでは、人周囲温度、人周囲湿度、風速、平均輻射温度、代謝量、着衣量からＳＥＴ*値が算出される。
【００４４】
そして、第４ステップＳ４において、算出されたＳＥＴ*値（以下、「算出ＳＥＴ*値」という）と、快適ＳＥＴ*範囲とが比較される。快適ＳＥＴ*範囲とは、予め実験的に求められた人が快適感を感じることができるＳＥＴ*値の範囲である。
【００４５】
算出ＳＥＴ*値が快適ＳＥＴ*範囲内ではない場合は、第５ステップＳ５において、制御の変更が行われる。ここでは、算出ＳＥＴ*値が適正となる熱交換器温度の理想値が算出され、熱交換器温度がこの理想値に近づくように室内熱交換器２１によって温度調整される空気の温度や吹出口２７から吹き出される空気の風量が変更される。具体的には、圧縮機１０の周波数や送風機２３のファン回転数が変更される。
【００４６】
算出ＳＥＴ*値が快適ＳＥＴ*範囲内である場合は、第６ステップＳ６および第７ステップＳ７に示すように、所定時間Ｎの経過後に第１ステップＳ１に戻る。これにより、各種のパラメーターの検知および算出が再び行われ、算出ＳＥＴ*値と快適ＳＥＴ*範囲との比較が行われる。
【００４７】
〈特徴〉
（１）
この空気調和機１００では、輻射パネル２２からの輻射温度の算出において、熱交換器温度から輻射温度を算出している。輻射パネル２２からの輻射温度は、本来的には輻射パネル２２の表面温度に輻射パネル２２の面積を乗じることによって算出されるものであるが、輻射パネル２２は、室内熱交換器２１で温度調整された空気によって温度調整されるため、熱交換器温度を輻射パネル２２の表面温度と等しいと見なすことができる。このため、精度よく輻射パネル２２からの輻射温度を算出することができる。
【００４８】
また、輻射温度センサを用いずに熱交換器温度センサ４２を用いて輻射パネル２２からの輻射温度を近似的に算出することができるため、小型且つ安価な温度センサを用いることができる。このため、低コストに輻射パネル２２からの輻射温度を算出することができる。また、吸込空気温度を用いて輻射パネル２２を除く天井面ＣＬからの輻射温度を近似的に算出しているため、天井面輻射温度を低コストに算出することができる。
【００４９】
さらに、熱交換器温度センサ４２は、室内熱交換器２１が収用された温度調整ユニットケーシング２４の内部に設ければよいため、輻射パネル２２の表面にセンサを取り付ける必要がない。このため、構成が簡易であると共に美観を損なう恐れも低減している。
【００５０】
（２）
この空気調和機１００では、快適指数であるＳＥＴ*値に基づいて空気調和運転の制御が行われる。これにより、快適な空気調和運転を行うことができる。また、上記のように輻射温度を得るための構成が低コストに実現されているため、快適な空気調和運転の制御を低コストに行うことができる。
【００５１】
〈他の実施形態〉
（Ａ）
上記の実施形態では、着衣量が室外温度から決定されているが、室外温度ではなく、空気調和機１００の起動初期における人周囲温度から着衣量が決定されてもよい。この場合も室外温度と同様に精度よく着衣量を決定することができる。
【００５２】
（Ｂ）
上記の実施形態では、リモコン装置４４に人周囲湿度センサ４５が設けられ、人の周囲の相対湿度を直接的に検知することができるが、リモコン装置４４に人周囲湿度センサ４５が備えられず輻射型室内機２に相対湿度センサが備えられている場合には、演算により間接的に人の周囲の相対湿度が算出されてもよい。具体的には、輻射型室内機２の吸込口２５近傍に設けられた相対湿度センサによって検知された吸込空気の相対湿度と、吸込空気温度センサ４３によって検知された吸込空気の温度とから吸込空気の絶対湿度が算出され、この絶対湿度と、人周囲温度センサ４１によって検知された人周囲温度とから人周囲湿度を算出することができる。
【００５３】
（Ｃ）
上記の実施形態では、ＳＥＴ*値に基づいて空気調和運転の制御が行われているが、輻射温度が考慮された他の快適指数に基づいて空気調和運転の制御が行われてもよい。また、直接的に輻射温度に基づいて空気調和運転の制御が行われてもよい。この場合も、熱交換器温度から近似的に輻射パネル２２からの輻射温度を算出することによって、低コストに輻射温度を求めることができる。
【００５４】
（Ｄ）
上記の実施形態では、平均輻射温度の算出の際に、補正係数αが乗じられているが、補正係数βが加算されることによって、補正が行われてもよい。
【００５５】
また、Ｔｈａ＋γ1、Ｔｃａ＋γ2、Ｔｐａ＋γ3 のように各温度が補正されてもよい。
【産業上の利用可能性】
【００５６】
本発明は、快適な空気調和運転の制御を低コストに行うことができる効果を有し、空気調和機として有用である。
【図面の簡単な説明】
【００５７】
【図１】空気調和機の冷媒回路図。
【図２】輻射型室内機を示す概略図。
【図３】輻射型室内機の側面断面図。
【図４】空気調和機の制御ブロック図。
【図５】ＳＥＴ*値の算出のフローチャート。
【図６】ＳＥＴ*値の算出のフローチャート。
【図７】ＳＥＴ*値の算出のフローチャート。
【符号の説明】
【００５８】
４        制御部
２１      室内熱交換器（熱交換器）
２２      輻射パネル
２５      吸込口
２７      吹出口
４１      人周囲温度センサ
４２      熱交換器温度センサ
４３      吸込空気温度センサ
４５      人周囲湿度センサ（人周囲湿度検知部）
４６      室外温度センサ
１００    空気調和機
ＣＬ      天井面
ＩＳ      内部空間
Ｓ５      制御ステップ
Ｓ１１    吸込空気温度検知ステップ
Ｓ１２    熱交換器温度検知ステップ
Ｓ２２    天井面輻射温度算出ステップ
【図１】
0004581891.tif 000002
【図２】
0004581891.tif 000003
【図３】
0004581891.tif 000004
【図４】
0004581891.tif 000005
【図５】
0004581891.tif 000006
【図６】
0004581891.tif 000007
【図７】
0004581891.tif 000008